(57)【要約】【課題】低価格な農地用地下埋設式貯留槽を提供する。【解決手段】箱部材を欠落させて配置しないことにより箱配列構造体１の内側を高さ方向に貫通する点検スペース２０を形成しこの点検スペース２０を地面まで延在させ、点検スペース２０の、箱配列構造体１と地面との間の部分を箱部材を有する補助ブロック３で囲うとともに、この点検スペース２０が地面に開口する部分に開閉蓋９を設けてなる。【選択図】図２
2009150179.tif 000002
【特許請求の範囲】
【請求項１】
内外を連通させる開口部を有する樹脂製の箱部材を、縦、横、および、高さ方向に配列して、貯水空間を形成するとともに周囲からの荷重を負担する箱配列構造体と、この箱配列構造体の少なくとも底面および側面を覆う遮水保護層とよりなる農地用の地下埋設式貯留槽において、
前記箱部材を欠落させて配置しないことにより前記箱配列構造体の内側を高さ方向に貫通する点検スペースを形成しこの点検スペースを地面まで延在させ、点検スペースの、前記箱配列構造体と地面との間の部分を前記箱部材で囲うとともに、この点検スペースが地面に開口する部分に開閉蓋を設けてなる農地用地下埋設式貯留槽。
【請求項２】
箱配列構造体の上面を防根シートで覆ってなる請求項１に記載の農地用地下埋設式貯留槽。
【発明の詳細な説明】
【技術分野】
【０００１】
本発明は、内外を連通させる開口部を有する樹脂製の箱部材を、縦、横、および、高さ方向に配列して、貯水空間を形成するとともに周囲からの荷重を負担する箱配列構造体と、この箱配列構造体の少なくとも底面および側面を覆う防水シートとよりなる農地用の地下埋設式貯留槽に関する。
【背景技術】
【０００２】
開口部を有する樹脂製の箱部材を、縦、横、および、高さ方向に配列して、貯水空間を形成するとともに周囲からの荷重を負担する箱配列構造体と、この箱配列構造体の少なくとも底面および側面を覆う防水シートとよりなる地下埋設式貯留槽が用いられている。図１は、このような従来の地下埋設式貯留槽を模式的に示す断面図であり、この地下埋設式貯留槽９０は、箱部材の複数個を一体的に配列した基本ブロック２と、箱部材の１個よりなる補助ブロック３とを組み合わせてなる箱配列構造体１と、箱配列構造体１を覆う遮水保護層６を具えて構成され、箱配列構造体１の内部を点検するために、基本ブロック３を欠落させて配置しないことにより箱配列構造体１の内側を高さ方向に貫通する点検スペース９１を形成し、この上にコンクリート製のマンホール９２を、その蓋９３が地面に開口するようにして配置している。
【０００３】
なお、図１において、符号１１は、雨水を集める流入枡、符号１２は、雨水貯留槽１０から流出させる際に雨水を一旦貯める流出枡、符号１３は、流入枡１１に雨水を集める通水管、符号１４は、流入枡１１から雨水貯留槽１０に雨水を導く流入管、符号１５は、流出枡１２からオーバフローした雨水を排水するオーバフロー管、符号１６は、流出枡１２から流量を制限ながら排水するオリフィス管、また、符号１７は、流入枡１１からオーバフローした雨水を流出枡１２に導くオーバフロー管をそれぞれ表す。
【発明の開示】
【発明が解決しようとする課題】
【０００４】
しかしながら、農地に地下埋設式貯留槽を設置した場合には、投資環境も厳しいことからこれを安価につくることが特に要求されており、本発明は、このような問題点に鑑みてなされたものであり、低価格な農地用地下埋設式貯留槽を提供することを目的とする。
【課題を解決するための手段】
【０００５】
＜１＞は、内外を連通させる開口部を有する樹脂製の箱部材を、縦、横、および、高さ方向に配列して、貯水空間を形成するとともに周囲からの荷重を負担する箱配列構造体と、この箱配列構造体の少なくとも底面および側面を覆う遮水保護層とよりなる農地用の地下埋設式貯留槽において、
前記箱部材を欠落させて配置しないことにより前記箱配列構造体の内側を高さ方向に貫通する点検スペースを形成しこの点検スペースを地面まで延在させ、点検スペースの、前記箱配列構造体と地面との間の部分を前記箱部材で囲うとともに、この点検スペースが地面に開口する部分に開閉蓋を設けてなる農地用地下埋設式貯留槽である。
【０００６】
＜２＞は、＜１＞において、箱配列構造体の上面を防根シートで覆ってなる農地用地下埋設式貯留槽である。
【発明の効果】
【０００７】
＜１＞によれば、点検スペースの、前記箱配列構造体と地面との間の部分を前記箱部材で囲うとともに、この点検スペースが地面に開口する部分に開閉蓋を設けているので、点検スペースを極めて安価に形成することができる。
【０００８】
＜２＞によれば、箱配列構造体の上面を防根シートで覆ったので、農地に生えた植物の根が記箱配列構造体内に進入するのを防止することができる。
【発明を実施するための最良の形態】
【０００９】
本発明の実施形態について図に基づいて説明する。図２は、この実施形態の雨水貯留槽を模式的に示す断面図であり、雨水貯留槽１０は、地中Ｆに埋設される。
【００１０】
雨水貯留槽１０を設置する際には、先ず、雨水を回収し、貯留する対象となる敷地の地表面から凹状のピットＰを掘り下げ、このピットＰの内表面を遮水保護層６により隙間なく覆ったあと、遮水保護層６により覆われたピットＰ内に略直方体状に形成された所定容積の箱配列構造体１を構築する。
【００１１】
次いで、箱配列構造体１の頂面側を防根シート７により隙間なく覆って、箱配列構造体１の外側を遮水保護層６および防根シート７により密封した後、箱配列構造体１が内部に配置されたピットＰを土により埋め戻して箱配列構造体１の上側を覆土層により覆う。なお、地下に雨水貯留槽１が設置される土地は、この実施形態においては農地であり、作物等の植物で覆われている。
【００１２】
農地には、雨水貯留槽１０の周辺に流入桝１１が埋設されるとともに、雨水貯留槽１０に隣接して流出桝１２が埋設される。流入桝１１は、例えば、農地を所定の面積を有する複数の領域に区画し、その領域毎に流入桝１１を設置し、これらの流入桝１１にそれぞれ雨水が流れ込むようなっている。ここで、雨水貯留槽１０に最も近接した１個乃至複数個の流入桝１１は、通水管１３を通して他の流入桝１１に接続されている。これにより、農地全体に降った雨水は、雨水貯留槽１０に最も近接した流入桝１１内に一旦、集水される。
【００１３】
流入桝１１は、その側壁部の下端寄りの部位に流入管１４の一端部が接続され、流入管１４の他端側は、遮水保護層６を貫通して雨水貯留槽１０内へ連通している。
【００１４】
流出桝１２は、その側壁部の下端部にオリフィス管１６の一端部が接続されると共に、側壁部の上端部にオーバフロー管１５の一端部が接続されている。オリフィス管１６及びオーバフロー管１５の他端部は、それぞれ河川、河川等の公共排水施設へ繋がった通水管、排水用の暗渠、下水道等の排水経路に繋がっている。ここで、流出桝１２内には、雨水貯留槽１０からオーバフローした雨水が流れ込み、この雨水が一時的に貯留される。またオリフィス管１６は、流出桝１２内から排水経路へ流出する雨水の流量を制限するオリフィスとしての機能を有している。
【００１５】
ここで、箱配列構造体１は、この例の場合、図３に斜視図で示す樹脂製の基本ブロック２、および、図４に斜視図で示す樹脂製の補助ブロック３の複数個を相互に位置決め嵌め合わせて構成され、基本ブロック２は４種類８個の箱部材４Ａ、４Ｂ、４Ｃ、４Ｄを連結部材２１、２３、２５、２７等で一体的に連結して構成され、補助ブロック３は１個の箱部材４Ｅよりなる。そして、一方、箱部材４Ａ、４Ｂ、４Ｃ、４Ｄ、４Ｅには、箱の内外を連通させる開口部５が形成されている。
【００１６】
箱配列構造体１を形成するには、基本ブロック２の複数個を縦横それぞれの方向に同じ向きに並べて第１層を形成したあと、第2層を、図５に斜視図で示すように、基本ブロック２を、第1層の基本ブロック２と直交する向きに、第1層の基本ブロック２に嵌め込むようにして配列し、そのあと、図６に斜視図で示すように、その周囲に形成される隙間に補助ブロック３を嵌め込んで第２層を完成し、同様にして、第3層、第4層と積層してゆく。
【００１７】
雨水貯留槽１０には、内部の点検のため、箱部材を配置しない、すなわち、基本ブロック２も補助ブロック３も配置しないことによって、中空の点検スペース２０を、略正方形の断面で箱配列構造体１の高さ方向に貫通させるようにして形成されている。そして、点検スペース２０は、地面Ｅからここに進入できるよう地面Ｅまで繋がっているが、雨水貯留槽１０は、その特徴として、この点検スペース２０の、箱配列構造体１の頂面１ａから地面Ｅまでの間の部分を、その周囲に箱部材４０Ｅを配列することに形成しており、この部分をコンクリート製のマンホールを配置することによって形成した場合には、マンホール自体がコスト高であることのほか、この荷重を支持するために、箱配列構造体１の点検スペース２０の周りをコンクリート等で補強しなければならずコストアップの要因となっていたという従来の問題を、本発明は解消することができる。
【００１８】
そして、この発明は、農地用雨水貯留槽の場合には、荷重条件を大幅に緩和することのできる農地に埋設されること、および、投資コストが特に制約を受けることに着目してなされたものであり、マンホールに代えて箱部材を配列するだけで済ませることができるので、材料、工事ともに大幅なコストダウンが可能になり、農地用としての雨水貯留槽の導入の実現性を高めることができる。
【００１９】
図７および図８は、点検スペース周囲のブロック配列を示す模式図であり、図７は、図２におけるＡ−Ａ矢視に対応し、図８は、Ｂ−Ｂ矢視に対応する。
【００２０】
点検スペース周辺部分の、図７に対応する断面では、同じ向きに並べられた基本ブロックの中から２つ分を配置しないことにより略正方形のスペースが形成されており、また、箱配列構造体１の頂面１ａより上の、点検スペース周辺部分は、図８に示すように、補助ブロック３を隙間なく正方形を取り囲むように配置することによって形成されている。
【００２１】
点検スペース２０の地面Ｅに開口する部分には、天板８が、配列された補助ブロック３に嵌め合わせらて配設され、天板８には、点検スペース２０に出入りするための開閉蓋９が取り付けられる。
【００２２】
また、雨水貯留槽１０は、好ましくは、箱配列構造体１の上面を防根シート７で覆うのがよく、これによって、農地に生える植物の根が、箱配列構造体１内へ進入するのを防止することができる。
【図面の簡単な説明】
【００２３】
【図１】従来の農地用の地下埋設式貯留槽を模式的に示す断面図である。
【図２】本発明に係る実施形態の農地用地下埋設式貯留槽を模式的に示す断面図である。
【図３】基本ブロックを示す斜視図である。
【図４】補助ブロックを示す斜視図である。
【図５】基本ブロックを配列した箱配列構造体の一部を示す斜視図である。
【図６】基本ブロックおよび補助ブロックを配列した箱配列構造体の一部を示す斜視図である。
【図７】点検スペース周辺部分を示す断面図である。
【図８】点検スペース周辺部分を他の断面において示す断面図である。
【符号の説明】
【００２４】
１    箱配列構造体
１ａ    箱配列構造体の頂面
２    基本ブロック
３    補助ブロック
４Ａ、４Ｂ、４Ｃ、４Ｄ、４Ｅ    箱部材
５    開口部
６    遮水保護層
７    防根シート
８    天板
９    開閉蓋
１０    雨水貯留槽
１１    流入桝
１２    流出桝
１３    通水管
１４    流入管
１５    オーバフロー管
１６    オリフィス管
２０    点検スペース
２１、２３、２５，２７    連結部材
Ｅ    地面
Ｐ    ピット
Ｆ    地中
【図１】
2009150179.tif 000003
【図２】
2009150179.tif 000004
【図３】
2009150179.tif 000005
【図４】
2009150179.tif 000006
【図５】
2009150179.tif 000007
【図６】
2009150179.tif 000008
【図７】
2009150179.tif 000009
【図８】
2009150179.tif 000010